(57)【要約】  本発明は、ディスプレイ装置及びその制御方法に係り、ディスプレイ装置は、映像を表示するディスプレイ部と；タッチ領域に対して分布され、電圧パルスが送信される複数のパルス送信ラインと、前記タッチ領域に対して分布された複数の受信ラインを備えて、前記パルス送信ラインに送信される電圧パルスに基づいて、前記タッチ領域上のユーザーのタッチ入力を感知するタッチパネル部と；前記タッチ領域の中でタッチ予想領域に対応する前記パルス送信ラインに送信される前記電圧パルスの回数が前記タッチ領域の他の領域に送信される電圧パルスの回数に比べて多くように制御する制御部と；を含む。
2016528625.tif 000002
【特許請求の範囲】
【請求項１】
ディスプレイ装置において、
映像を表示するディスプレイ部と；
タッチ領域に対して分布され、電圧パルスが送信される複数のパルス送信ラインと、前記タッチ領域に対して分布された複数の受信ラインを備えて、前記パルス送信ラインに送信される電圧パルスに基づいて、前記タッチ領域上のユーザーのタッチ入力を感知するタッチパネル部と；
前記タッチ領域の中でタッチ予想領域に対応する前記パルス送信ラインに送信される前記電圧パルスの回数が前記タッチ領域の他の領域に送信される電圧パルスの回数に比べて多くように制御する制御部と；
を含むことを特徴とするディスプレイ装置。
【請求項２】
前記タッチ予想領域は、前記ディスプレイ部に表示されているＧＵＩ項目の領域を含むことを特徴とする請求項１に記載のディスプレイ装置。
【請求項３】
前記制御部は、前記ＧＵＩ項目を表示するアプリケーションによって提供される情報を利用して前記ＧＵＩ項目の領域を決定することを特徴とする請求項２に記載のディスプレイ装置。
【請求項４】
前記制御部は、前記ディスプレイ部に表示されている映像を分析して前記ＧＵＩ項目の領域を認識することを特徴とする請求項２に記載のディスプレイ装置。
【請求項５】
前記制御部は、前記ユーザーのタッチ入力が感知されると、前記ユーザーのタッチ入力が感知された位置の領域を前記タッチ予想領域に決定することを特徴とする請求項１に記載のディスプレイ装置。
【請求項６】
前記制御部は、前記ユーザーのタッチ入力が移動されると、前記タッチ入力の移動に従って前記タッチ予想領域を移動させることを特徴とする請求項５に記載のディスプレイ装置。
【請求項７】
前記タッチ領域の所定位置に前記ユーザーのタッチ入力が発生する確率に基づいて設けられたタッチ確率情報が保存された保存部をさらに含み、
前記制御部は、前記タッチ確率情報に基づいて前記タッチ予想領域を決定することを特徴とする請求項１に記載のディスプレイ装置。
【請求項８】
前記制御部は、前記ユーザーのタッチ入力が感知されると、前記タッチ入力が感知された位置に対応する前記タッチ確率情報を更新することを特徴とする請求項７に記載のディスプレイ装置。
【請求項９】
前記保存部は、複数のアプリケーションまたは複数のユーザー別に対応して設けられたタッチ確率情報を保存することを特徴とする請求項７に記載のディスプレイ装置。
【請求項１０】
前記ユーザーのタッチ入力は、ユーザーの指またはタッチペンによって行われ、
前記タッチ予想領域の大きさは、前記ユーザーの指及び前記タッチペンによって決定されることを特徴とする請求項１に記載のディスプレイ装置。
【請求項１１】
前記複数のパルス送信ラインに送信される前記電圧パルスの回数は、前記タッチ予想領域の中心に近いほど次第に多くなることを特徴とする請求項１に記載のディスプレイ装置。
【請求項１２】
映像を表示するディスプレイ部と、ユーザーのタッチ入力を感知するタッチパネル部を備えるディスプレイ装置の制御方法において、
前記タッチパネル部のタッチ領域に対して分布された複数のパルス送信ラインに電圧パルスを送信する段階と；
前記複数のパルス送信ラインに送信される電圧パルスに基づいて、前記タッチ領域上のユーザーのタッチ入力を感知する段階と；
前記タッチ領域の中でタッチ予想領域に対応する前記パルス送信ラインに送信される前記電圧パルスの回数が前記タッチ領域の他の領域に送信される電圧パルスの回数に比べて多くように制御する段階と；
を含むことを特徴とするディスプレイ装置の制御方法。
【請求項１３】
前記タッチ予想領域は、前記ディスプレイ部に表示されているＧＵＩ項目の領域を含むことを特徴とする請求項１２に記載のディスプレイ装置の制御方法。
【請求項１４】
前記制御段階は、前記タッチ領域の所定位置に前記ユーザーのタッチ入力が発生する確率に基づいて設けられて保存部に保存されたタッチ確率情報に基づいて前記タッチ予想領域を決定する段階を含むことを特徴とする請求項１２に記載のディスプレイ装置の制御方法。
【請求項１５】
前記複数のパルス送信ラインに送信される前記電圧パルスの回数は前記タッチ予想領域の中心に近いほど次第に多くなることを特徴とする請求項１２に記載のディスプレイ装置の制御方法。
【発明の詳細な説明】
【技術分野】
【０００１】
本発明は、ディスプレイ装置及びその制御方法に係り、具体的には、タッチパネルを備えてユーザーのタッチ入力を受信して動作するディスプレイ装置及びその制御方法に関する。
【背景技術】
【０００２】
ＴＶ、スマートフォン、スマートパッド、タブレットＰＣ、携帯電話などのようなディスプレイ装置は、タッチパネルを備えてユーザーのタッチ入力を受信して動作する。タッチパネルは、ディスプレイ装置の前面に付着されてユーザーの手またはタッチ道具が接触された位置を感知し、感知結果を電気的な信号に変換する。このようなタッチパネルは、従来の機械的なボタンまたはキーボード及びマウスのような入力装置を速く取り替えて、その利用範囲が次第に拡大されている趨勢である。
【０００３】
本発明は、現在、利用されているタッチパネルの動作方式の中で、例えば、静電容量方式の受信感度を向上させるための技術に関する。静電容量方式では、受信感度を高めるために、送信チャンネルの電圧パルスのレベルを高めて感知される信号のレベルを高める方法や、電圧パルスが送信される回数を増やす方法がある。
【０００４】
しかし、電圧パルスのレベルを高める方法は、電力の消耗が大きく、装置の規模にしたがってレベルをある限度以上に高めることができない制限がある。一方、電圧パルスの送信回数を増やす方法は、チャンネルで発生される線抵抗による電圧パルスの減殺と、ラインキャパシタンス（Ｌｉｎｅ  Ｃａｐａｃｉｔａｎｃｅ）によるＲＣディレーによって電圧パルスの送信回数を大きく増やすことができない制限がある。さらに、複数のチャネルに対して電圧パルスを順次に発生させるタイムインターリーブ（Ｔｉｍｅ  Ｉｎｔｅｒｌｅａｖｅｄ）方式では、チャネル当送信できる時間が制約されるので、限定された時間内で電圧パルスの送信回数を増やすことに限界がある。このような制約は、スマートフォン、携帯電話、スマートパッド、タブレットＰＣなどのような小型のディスプレイ装置だけでなく、大型のスクリーンを備えるディスプレイ装置においてさらに問題になる。
【発明の概要】
【発明が解決しようとする課題】
【０００５】
本発明の目的は、タッチパネルを備えるディスプレイ装置において、さらに向上された受信感度でユーザーのタッチ入力を感知することができるディスプレイ装置及びその制御方法を提供することである。
【課題を解決するための手段】
【０００６】
本発明の目的は、ディスプレイ装置において、映像を表示するディスプレイ部と；タッチ領域に対して分布され、電圧パルスが送信される複数のパルス送信ラインと、前記タッチ領域に対して分布された複数の受信ラインを備えて、前記パルス送信ラインに送信される電圧パルスに基づいて、前記タッチ領域上のユーザーのタッチ入力を感知するタッチパネル部と；前記タッチ領域の中でタッチ予想領域に対応する前記パルス送信ラインに送信される前記電圧パルスの回数が前記タッチ領域の他の領域に送信される電圧パルスの回数に比べて多くように制御する制御部と；を含むことを特徴とするディスプレイ装置によって達成される。
【０００７】
前記タッチパネル部は、前記ディスプレイ部の全体面に設けられることができる。
前記タッチ予想領域は、前記ディスプレイ部に表示されているＧＵＩ項目の領域を含むことができる。
前記制御部は、前記ＧＵＩ項目を表示するアプリケーションによって提供される情報を利用して前記ＧＵＩ項目の領域を決定することができる。
前記制御部は、前記ディスプレイ部に表示されている映像を分析して前記ＧＵＩ項目の領域を認識することができる。
前記制御部は、前記ユーザーのタッチ入力が感知されると、前記ユーザーのタッチ入力が感知された位置の領域を前記タッチ予想領域に決定することができる。
前記制御部は、前記ユーザーのタッチ入力が移動されると、前記タッチ入力の移動に従って前記タッチ予想領域を移動させることができる。
【０００８】
ディスプレイ装置は、前記タッチ領域の所定位置に対して前記ユーザーのタッチ入力が発生する確率に基づいて設けられたタッチ確率情報が保存された保存部をさらに含み、  前記制御部は、前記タッチ確率情報に基づいて前記タッチ予想領域を決定することができる。
【０００９】
前記制御部は、前記ユーザーのタッチ入力が感知されると、前記タッチ入力が感知された位置に対応する前記タッチ確率情報を更新することができる。
【００１０】
前記保存部は、複数のアプリケーションまたは複数のユーザー別に対応して設けられたタッチ確率情報を保存することができる。
【００１１】
前記ユーザーのタッチ入力は、ユーザーの指またはタッチペンによって行われ、前記タッチ予想領域の大きさは、前記ユーザーの指及び前記タッチペンによって決定されることができる。
前記複数のパルス送信ラインに送信される前記電圧パルスの回数は、前記タッチ予想領域の中心に近いほど次第に多くなることができる。
【００１２】
本発明の前記目的は、映像を表示するディスプレイ部と、ユーザーのタッチ入力を感知するタッチパネル部を備えるディスプレイ装置の制御方法において、前記タッチパネル部のタッチ領域に対して分布された複数のパルス送信ラインに電圧パルスを送信する段階と；前記複数のパルス送信ラインに送信される電圧パルスに基づいて、前記タッチ領域上のユーザーのタッチ入力を感知する段階と；前記タッチ領域の中でタッチ予想領域に対応する前記パルス送信ラインに送信される前記電圧パルスの回数が前記タッチ領域の他の領域に送信される電圧パルスの回数に比べて多くように制御する段階と；を含むディスプレイ装置の制御方法によっても達成されることができる。
【００１３】
前記タッチ予想領域は、前記ディスプレイ部に表示されているＧＵＩ項目の領域を含むことができる。
【００１４】
前記制御段階は、前記ＧＵＩ項目を表示するアプリケーションによって提供される情報を利用して前記ＧＵＩ項目の領域を決定する段階を含むことができる。
前記制御段階は、前記ディスプレイ部に表示されている映像を分析して前記ＧＵＩ項目の領域を認識する段階を含むことができる。
前記制御段階は、前記ユーザーのタッチ入力が感知されると、前記ユーザーのタッチ入力が感知された位置の領域を前記タッチ予想領域に決定する段階を含むことができる。
【００１５】
ディスプレイの制御方法は、前記ユーザーのタッチ入力が移動されると、前記タッチ入力移動に従って前記タッチ予想領域を移動させる段階をさらに含むことができる。
【００１６】
前記制御段階は、前記タッチ領域の所定位置に前記ユーザーのタッチ入力が発生する確率に基づいて設けられて保存部に保存されたタッチ確率情報に基づいて前記タッチ予想領域を決定する段階を含むことができる。
【００１７】
前記制御段階は、前記ユーザーのタッチ入力が感知されると、前記タッチ入力が感知された位置に対応する前記タッチ確率情報を更新する段階を含むことができる。
前記タッチ確率情報は、複数のアプリケーションまたは複数のユーザー別に対応して設けられることができる。
【００１８】
前記ユーザーのタッチ入力は、ユーザーの指またはタッチペンによって行われ、前記制御する段階は、前記ユーザーの指及び前記タッチペンによって前記タッチ予想領域の大きさを決定する段階を含むことができる。
前記複数のパルス送信ラインに送信される前記電圧パルスの回数は前記タッチ予想領域の中心に近いほど次第に多くなることができる。
【発明の効果】
【００１９】
前記のように、本発明によると、さらに向上された受信感度でユーザーのタッチ入力を感知することができる。 
【図面の簡単な説明】
【００２０】
【図１】本発明の一実施形態によるディスプレイ装置の構成を示すブロック図である。
【図２】本発明の一実施形態によるタッチパネル部の構造を示す。
【図３】本発明の一実施形態によるタッチパネル部の構造を示す。
【図４】本発明の一実施形態による制御部の構成を示す。
【図５】本発明の一実施形態による制御部の動作を示すフローチャートである。
【図６】本発明の一実施形態による電圧パルスの制御を説明するための図である。
【図７】本発明の一実施形態による制御部の動作を示すフローチャートである。
【図８】本発明の一実施形態による制御部の動作を示すフローチャートである。
【図９】本発明の一実施形態による制御部の動作を示すフローチャートである。
【図１０】本発明の一実施形態による制御部がタッチ予想領域を決定する一例を示す。
【図１１】本発明の一実施形態による制御部の動作を示すフローチャートである。
【図１２】本発明の一実施形態によるタッチ予想領域の大きさの例を示す。
【図１３】本発明の一実施形態によるタッチ領域の一例を示す。
【図１４】本発明の一実施形態によるタッチ確率情報のテーブルの一例を示す。
【図１５】本発明の一実施形態による制御部の動作を示すフローチャートである。
【発明を実施するための形態】
【００２１】
本発明の例示的な実施形態に対して詳しく説明する。しかし、例示的な実施形態は他の実施形態で実施されることができるので、ここで説明する実施形態によって制限的に説明されず、これらの実施形態は本発明を完全にしてこの技術分野の技術者に本発明のコンセプトを完全に伝達することができるように設けられる。図面で同一の参照番号は同一の要素を表示し、従って同一の要素に対する説明は省略される。
【００２２】
以下、用語“部（ｕｎｉｔ）”は、ＦＰＧＡまたはＡＳＩＣのようなハードウェア  コンポーネントまたはソフトウェア  コンポーネントを示し、特定の機能を行う。しかし、“部”は、ハードウェアまたはソフトウェアに限られない。“部”はアドレスブル（ａｄｄｒｅｓｓａｂｌｅ）貯蔵媒体による構成も可能であり、一つ以上のプロセッサーによって実行される構成も可能である。従って、“部”はソフトウェア要素、オブジェクト指向ソフトウェア要素、クラス要素及びデスク要素のような要素と、プロセス、機能、属性、プロシージャ、サブルーティン、プログラム  コードのセグメント、ドライバ、ファームウェア、マイクロ  コード、回路、データ、データベース、データ構造、テーブル、アレイ及び変数を含む。要素及び部に提供された機能は少ない数の要素及び部で結合されたり、多い数の要素及び部で分割されることができる。
【００２３】
図１は本発明の一実施形態によるディスプレイの構成を示すブロック図である。ディスプレイ装置１は、ＴＶ、スマートフォン、スマートパッド、タブレットＰＣ、形態電話などで具現されることができる。信号受信部１１、映像処理部１２、ディスプレイ部１３、保存部１４、タッチパネル部１５及び制御部１６を含むことができる。
【００２４】
信号受信部１１は、映像信号を受信する。映像信号は一例としてＴＶの放送信号であることができる。放送信号は、地上波放送、ケーブル放送、衛星放送などの方式で放送されることができる。放送信号は複数のチャンネルを有する。信号受信部１１は複数のチャンネルの中でユーザーによって選択されたいずれか一つのチャンネルの放送信号を受信することができる。他の実施形態として、映像信号は、例えば、ＤＶＤプレーヤー、ＢＤプレーヤーなどの映像機器から受信されたり、ＰＣから受信されたり、インターネットのようなネットワークを通じて受信されたり、ブルートゥース、ワイファイのようなネットワークを通じて受信されたり、ＵＳＢ保存媒体のようなメモリから受信されることもできる。
【００２５】
映像処理部１２は、受信される映像信号を処理してディスプレイ部１３に映像が表示されるようにする。映像処理部１２は受信される映像信号に対して、例えば、モジュレーション、デモジュレーション、マルチプレクシング、デマルチプレクシング、アナログ−デジタル変換、デジタル−アナログ変換、デコーディング、エンコーディング、イメージエンハンスメント、スケーリングなどの映像処理を行うことができる。
【００２６】
ディスプレイ部１３は、映像処理部１２によって処理される映像信号に基づいて映像を表示する。ディスプレイ部１３はパネルタイプのＬＣＤ、ＰＤＰ、ＯＬＥＤなどの多様な方式で映像を表示することができる。保存部１４はフラッシュメモリー、ハードディスクなどのような非揮発性のメモリーとして、ディスプレイ装置１の動作に必要なプログラムのデータや情報を保存する。
【００２７】
タッチパネル部１５は、ユーザーのタッチ入力を感知する。図２及び図３は、本発明の一実施形態によるタッチパネル部１５の構造を示す。タッチパネル部１５はディスプレイ部１３の前面（映像が表示される方向）に設けられることができる。まず、図２に示すように、タッチパネル部１５は、ユーザーのタッチ入力を感知するための送信センサー層１５１及び受信センサー層１５２と、ユーザーの指やタッチペンで実際にタッチするウィンドウグラス１５３を含むことができる。タッチパネル部１５は、ＩＴＯや、Ｍｅｔａｌ  Ｍｅｓｈ、Ａｇ  Ｎａｎｏ  Ｗｉｒｅなどのように透明な電極を利用する、例えばＧＦＦまたはＧ２構造や、または不透明で柔軟なフィルムのような物質を基板として導電性物質を配向した構造としてＦＰＣＢ（Ｆｌｅｘｉｂｌｅ  Ｐｒｉｎｔｅｄ  Ｃｉｒｃｕｉｔ  Ｂｏａｒｄ）などの形態で具現されることができる。
【００２８】
図３はタッチパネル部１５の一部領域を示す。図３に示すように、送信センサー層１５１は電圧パルスを送信するための複数のパルス送信ライン１５４を含み、受信センサー層１５２は複数のパルス送信ライン１５４と相互交差するように配置される複数の受信ライン１５５を含む。パルス送信ライン１５４と、受信ライン１５５の個数はディスプレイ部１３の画面の大きさに従って多様にすることができる。たとえば、数十個のパルス送信ライン１５４及び／または受信ライン１５５であることができる。
【００２９】
制御部１６は複数のパルス送信ライン１５４に所定の大きさの電圧パルスを送信する。パルス送信ライン１５４に電圧パルスが流れると、パルス送信ライン１５４と受信ライン１５５との間には電磁気場（Ｅｌｅｃｔｏ−ｍａｇｎｅｔｉｃ  Ｆｉｅｌｄ）が形成されて、受信ライン１５５に所定の大きさの電圧がカップリングされる。この時、ユーザーの手３０１がタッチパネル部１５に近接すると、一部の電場がユーザーの手３０１に吸収されて受信ライン１５５で受信される総エネルギーが減少する。このようなエネルギーの変化は受信ライン１５５での電圧が変化され、その電圧変化に基づいてタッチが行われた位置３０２を把握することができる。
【００３０】
制御部１６はタッチ領域４０１の中でタッチが相対的に多いと予想される領域（以下、‘タッチ予想領域’と言う）に対応するパルス送信ライン１５４に送信される電圧パルスの回数がタッチ領域４０１の他の領域のパルス送信ライン１５４に送信される電圧パルスの回数に比べて多く制御する。
【００３１】
図４は本発明の一実施形態による制御部の構成を示す。図４に示すように、制御部１６は複数のパルス送信ライン１５４に電圧パルスを提供する送信回路部１６１、複数の受信ライン１５５からの電圧を受信する受信回路部１６２、受信回路部１６２から受信された電圧を分析してタッチ入力の位置を決定し、パルス送信ライン１５４に提供される電圧パルスの回数を制御するＤＢＥ（Ｄｉｇｉｔａｌ  Ｂａｃｋ  Ｅｎｄ）ＩＣ１６３及びＤＢＥ  ＩＣ１６３とタッチ入力の位置、電圧パルスの制御などに関する情報を取り交わして、映像分析、タッチ確率に関する処理などを行うＣＰＵ１６４を含むことができる。
【００３２】
図５は、本発明の一実施形態による制御部１６の動作を示すフローチャートである。まず、動作Ｓ５０１で、制御部１６は、複数のパルス送信ライン１５４に電圧パルスを送信する。次に、動作Ｓ５０２で、制御部１６は、電圧パルスによって発生する複数の受信ライン１５５での電圧の変化に基づいてタッチ領域上のユーザーのタッチ入力を感知する。次に、動作５０３で、制御部１６は、タッチ予想領域に対応するパルス送信ライン１５４に送信される電圧パルスの回数が他の領域に比べて多くように制御する。
【００３３】
図６は本発明の一実施形態による電圧パルスの制御を説明するための図面である。ディスプレイ部１３は、現在、ディスプレイ装置１で実行されているアプリケーションの映像６０１を表示する。映像６０１はアプリケーションでユーザーの入力を受信するために提供されるＧＵＩ項目６０４及び６０５を含むことができる。制御部１６は、ＧＵＩ項目６０４及び６０５の領域６０６及び６０７をタッチ予想領域と決定することができる。図６の確率分布グラフ６０８に示すように、ユーザーはアプリケーションを利用しながら入力をするためにＧＵＩ項目６０４及び６０５の領域６０６及び６０７をタッチする確率が高い。即ち、ＧＵＩ項目６０４及び６０５の領域６０６及び６０７にそれぞれ対応する区間Ａ１及びＡ２で確率分布グラフ６０８の値がピークであることを分かることができる。
【００３４】
図６で横線６０３と縦線６０２は、それぞれパルス送信ライン及び受信ラインの配置を示す。図６に示すパルス送信ライン６０３及び受信ライン６０２の配置は一つの例示に過ぎず、多様な形態で行われることができる。例えば、パルス送信ラインを縦６０２に配置し、受信ラインを横６０３に配置することもできる。また、画面の横−縦間の転換に対応してパルス送信ライン及び受信ライン間の相互役割の転換が行われることもできる。制御部１６は複数のパルス送信ライン６０３の中でタッチ予想領域６０６及び６０７に対応するパルス送信ライン６１２に送信される電圧パルスの回数が他のパルス送信ライン６１３に比べて多くように制御する。例えば、他のパルス送信ライン６１３には１回（符号６０９参照）の電圧パルスが送信されると、タッチ予想領域６０６及び６０７に対応するパルス送信ライン６１２には、３回（符号６１０参照）の電圧パルスが送信されることができる。タッチ予想領域６０６及び６０７の中心に近いほどパルス送信ライン６０３に送信される電圧パルスの回数が次第に多くなることができる。
【００３５】
従って、タッチ予想領域６０６及び６０７に多数の電圧パルスが提供されるので、タッチ入力の受信感度が向上されることができる。特に、例えば、複数のパルス送信ライン６０３に順次に電圧パルスを送信する場合などにおいて、時間的な制約によってパルス送信ライン当送信される電圧パルスの回数は制限されることができる。例えば、定まった時間の範囲内で全てのパルス送信ライン６０３に最大に２回（符号６１１参照）の電圧パルスが均等に送信されることを考慮することができる。しかし、この場合には、時間的な制約によって、電圧パルスの送信回数をさらに増やすことができないので、受信感度を改善することが難しい。一方、本実施形態の場合、タッチ予想領域６０６及び６０７を除いた領域にタッチが相対的に行われる可能性が低いので、対応するパルス送信ライン６１３には電圧パルスの回数を低めることによって、時間的な余裕を確保することができるので、その確保された時間を活用してタッチ予想領域６０６及び６０７に対応するパルス送信ライン６１２には多数の電圧パルスを送信することができるので、タッチが多いタッチ予想領域６０６及び６０７の受信感度を改善することができる。言い替えれば、本実施形態では、パルス送信ライン６０３に送信される電圧パルスの回数をタッチ確率に基づいて能動的に分配するようになる。従って、タッチ可能性の高いタッチ予想領域６０６及び６０７に対しては電圧パルスの送信回数を増やし、そうでない領域に対しては少なく分配することによって、与えられたセンシング時間（Ｒｅｐｏｒｔ  Ｒａｔｅ）を同一に維持しながら、追加ハードウェア的な装置を追加しなくても、受信感度を改善することができる。
【００３６】
図７は本発明の一実施形態による制御部１６の動作を示すフローチャートである。まず、動作Ｓ７０１で、制御部１６はアプリケーションの実行可否をモニターリングする。次に、動作Ｓ７０２で、制御部１６はアプリケーションが実行されると判断すれば、動作Ｓ７０３で、ディスプレイ部１３にＧＵＩ項目６０４及び６０５の表示可否を確認する。もし、ディスプレイ部１３にＧＵＩ項目６０４及び６０５が表示されると判断されると、動作Ｓ７０４で、制御部１６はＧＵＩ項目６０４及び６０５が表示される位置や、領域６０６及び６０７の情報をもたらす。ＧＵＩ項目６０４及び６０５が表示される位置や、領域６０６及び６０７の情報は、実行されているアプリケーションがＧＵＩ項目６０４及び６０５を表示するために利用するＡＰＩ情報を参照することによって得ることができる。次に、動作Ｓ７０２で、制御部１６はもたらした情報に基づいてタッチ予想領域６０６及び６０７を決定する。
【００３７】
他の実施形態として、制御部１６は表示されている映像６０１を分析して、ＧＵＩ項目６０４及び６０５の領域６０６及び６０７を認識することができる。このような方法は、ＧＵＩ項目６０４及び６０５の位置や、領域６０６及び６０７の情報をもたらすことができない場合に利用されることができる。図８は、本発明の一実施形態による制御部１６の動作を示すフローチャートである。まず、動作Ｓ８０１で、制御部１６は映像６０１の隣接ピクセル間の階調変化を分析する。次に、動作Ｓ８０２で、制御部１６は階調変化が所定値以上であるか否かを確認する。即ち、隣接ピクセル間の階調変化がエッジ（ｅｄｇｅ）を示すか否かを判断する。図６に示すように、ＧＵＩ項目６０４及び６０５は個別的であり、独立的な固体であるので、周りの映像と隣接する境界６０６及び６０７で階調変化が急激に発生して、いわゆるエッジが形成される。続いて、図８に示すように、動作Ｓ８０２で、階調変化が所定値以上である場合、動作Ｓ８０３で、制御部１６はエッジと判断し、エッジが連続的であるか否かを確認する。即ち、ＧＵＩ項目６０４及び６０５の境界６０６及び６０７によってエッジが連続的か否かを確認する。動作Ｓ８０３で、エッジが連続的な場合、動作Ｓ８０４で、制御部１６は連続的なエッジが所定の図形の形状であるか否かを確認する。即ち、ＧＵＩ項目６０４及び６０５は、例えば、四角形、円などの特定な図形である場合が多いので、これに対する該当可否を確認する。動作Ｓ８０４で、連続的なエッジが所定の図形形状であると判断されると、動作Ｓ８０５で、制御部１６は連続的なエッジが作る所定の図形形状の領域６０６及び６０７をタッチ予想領域と決定する。次に、動作Ｓ８０６で、制御部１６は映像６０１の全てのピクセルに対する分析が完了されたか否かを確認し、まだ完了されない場合には動作Ｓ８０１に戻りつつ、完了された場合には動作を終わる。
【００３８】
他の実施形態として、制御部１６はユーザーのタッチ入力のない状態でタッチ入力が感知されると、そのタッチ入力が感知された位置の領域をタッチ予想領域と決定することができる。これは、ユーザーが一旦タッチすれば、例えば、スライド、ドラッグなどのようにタッチされた周りを続いてタッチする可能性の高いことを考慮したことである。図９は本発明の一実施形態による制御部１６の動作を示すフローチャートである。まず、動作Ｓ９０１で、制御部１６はタッチ領域にユーザーのタッチ入力があるか否かを感知する。もし動作Ｓ９０２でユーザーのタッチ入力があると判断されると、次に、動作Ｓ９０３で、制御部１６はタッチ入力が発生した位置を基準としてタッチ予想領域を決定する。図１０は本発明の一実施形態による制御部１６がタッチ予想領域を決定する一例を示す。図１０に示すように、タッチパネル部１５のタッチ領域１００１のいずれか位置にユーザーがタッチすると、制御部１６はそのタッチ入力が発生した位置１００２を基準としてタッチ予想領域１００４を決定する。タッチ予想領域１００４の形状は多様であり、例えば、円、楕円、多角形などであることができる。
【００３９】
再び、図９に示すように、動作Ｓ９０４で、制御部１６はユーザーのタッチ入力の移動可否を確認する。もし、動作Ｓ９０４でユーザーのタッチ入力が移動すると判断されると、次に、動作Ｓ９０５で、制御部１６はタッチ入力の移動によってタッチ予想領域を移動させる。図１０に示すように、ユーザーが第１位置１００２でタッチした後、タッチを維持しながら第２位置１００３まで動いた場合、制御部１６はタッチ入力の移動によってタッチ予想領域１００５も共に移動されるようにする。従って、ユーザーのタッチ状況に従って能動的に動作して向上された受信感度を続いて維持することができる。
【００４０】
タッチ予想領域の大きさはタッチ方向に従って変わることができる。図１１は、本発明の一実施形態による制御部１６の動作を示すフローチャートである。まず、動作Ｓ１１０１で、制御部１６はタッチ入力が発生された部分の大きさを把握する。即ち、タッチ領域でタッチが感知された部分、例えば、ユーザーの指や、タッチペンが接した部分の大きさを確認する。動作Ｓ１１０２で、タッチ入力が発生された部分の大きさがユーザーの指に該当すると判断されると、動作Ｓ１１０２で、制御部１６はタッチ予想領域の大きさを指に対応する大きさと決定する。一方、動作Ｓ１１０２で、タッチ入力が発生された部分の大きさがユーザーの指に該当しないと判断されると、動作Ｓ１１０４で、制御部１６はタッチ入力が発生された部分の大きさがタッチペンに該当するか否かを判断する。動作Ｓ１１０４で、タッチ入力が発生された部分の大きさがタッチペンに該当すると判断されると、動作Ｓ１１０５で、制御部１６はタッチ予想領域の大きさをタッチペンに対応する大きさと決定する。図１２は、本発明の一実施形態によるタッチ予想領域の大きさの例を示す図である。図面に示すように、ユーザーの指１２０１によってタッチされる部分１２０３の大きさはタッチペン１２０２によってタッチされる部分１２０４の大きさより相対的に大きい。従って、指１２０１によってタッチされる場合のタッチ予想領域１２０５の大きさはタッチペン１２０２によってタッチされる場合のタッチ予想領域１２０６の大きさよりも大きく決定されることができる。他の実施形態として、タッチ方法は、ユーザーの選択に従って決定されることができる。例えば、ユーザーの指１２０１によってタッチされる指モードと、タッチペン１２０２によってタッチされるペンモードを備えて、ユーザーの入力に従っていずれか一つのモードを選択することができる。制御部１６は、ユーザーによって選択されたモードのタッチ方法に対応してタッチ予想領域の大きさを決定することができる。
【００４１】
他の実施形態として、制御部１６はタッチ確率情報に基づいてタッチ予想領域を決定することができる。タッチ確率情報は、保存部１４に保存されることができる。タッチ確率情報はタッチ領域の所定位置にユーザーのタッチ入力が発生する確率に基づいて設けられることができる。図１３は、本発明の一実施形態によるタッチ領域の一例を示す。タッチ確率情報を設けるために、タッチ領域１３０１は複数の単位領域１３０２に区画されることができる。単位領域１３０２の大きさは、タッチ領域１３０１、即ち画面の大きさと、演算能力、メモリー容量などを考慮して適切な個数で決定されることができる。タッチ確率情報はテーブルの形態で設けられることができる。図１４は本発明の一実施形態によるタッチ確率情報のテーブルの一例を示す。タッチ確率情報のテーブル１４０１は、行Ｌ１、Ｌ２、Ｌ３、．．．と、列Ｃ１、Ｃ２、Ｃ３、．．．のフィールドを含むことができる。行Ｌ１、Ｌ２、Ｌ３、．．．と、列Ｃ１、Ｃ２、Ｃ３、．．．のフィールドはタッチ領域１３０１での各単位領域１３０２の行と、列にそれぞれ対応する。タッチ確率情報のテーブル１４０１には各段位領域１３０２別タッチ確率情報Ｐ１１、Ｐ１２、Ｐ１３、．．．が含まれる。即ち、タッチ確率情報Ｐ１１、Ｐ１２、Ｐ１３、．．．は各単位領域１３０２でユーザーのタッチ入力が発生する確率の値を示す。制御部１６はタッチ確率情報のテーブル１４０１を利用してタッチ予想領域を決定することができる。図１４に示すように、タッチ確率情報のテーブル１４０１は一つの例示に過ぎず、他の形態で具現されることもできる。例えば、タッチ確率情報のテーブル１４０１は行Ｌ１、Ｌ２、Ｌ３、．．．と、列Ｃ１、Ｃ２、Ｃ３、．．．のフィールドの代わりに、複数のパルス送信ライン及び／または受信ラインのフィールドを有し、複数のパルス送信ライン及び／または受信ラインにそれぞれ対応するタッチ確率情報が設けられることもできる。
【００４２】
図１５は、本発明の一実施形態による制御部１６の動作を示すフローチャートである。まず、動作Ｓ１５０１で、制御部１６は、テーブル１４０１を参照して各単位領域１３０２別にタッチ確率情報Ｐ１１、Ｐ１２、Ｐ１３、．．．を読み出す。次に、動作Ｓ１５０２で、制御部１６は読み出されたタッチ確率情報Ｐ１１、Ｐ１２、Ｐ１３、．．．に基づいて、タッチ確率が相対的に高い単位領域１３０２をタッチ予想領域と決定することができる。タッチ予想領域は二つ以上に決定されることができる。隣接した二つ以上の単位領域１３０２を結合して一つのタッチ予想領域と決定することもできる。次に、二つ以上のタッチ予想領域に対して、動作Ｓ１５０３で、制御部１６は各タッチ予想領域でのタッチ確率に対応して送信される電圧パルスの回数を決定する。即ち、タッチ確率が高いタッチ予想領域であればあるほど電圧パルスの送信回数は高く決定される。制御部１６は、決定された回数の電圧パルスの該当タッチ予想領域に対応するパルス送信ラインに送信する。
【００４３】
制御部１６は動作中にユーザーのタッチ入力が受信されたか否かをモニターリングして、受信されたタッチ入力に対応してタッチ確率情報のテーブル１４０１を更新することができる。即ち、受信されたタッチ入力がいずれの単位領域で発生したかを確認して、該当単位領域１３０２のタッチ確率情報Ｐ１１、Ｐ１２、Ｐ１３、．．．を変更する。タッチ確率情報のテーブル１４０１は二つ以上に設けられることができる。複数のタッチ確率情報のテーブル１４０１はアプリケーション別に対応して設けられることができる。即ち、特定アプリケーションが実行されている間にタッチ確率が高い単位領域１３０２の固有のタッチ確率情報Ｐ１１、Ｐ１２、Ｐ１３、．．．を利用して、受信感度の信頼性をさらに向上させることができる。他の実施形態として、複数のタッチ確率情報のテーブル１４０１はユーザー別に対応して設けられることができる。即ち、特定ユーザーのタッチ傾向に合う固有のタッチ確率情報Ｐ１１、Ｐ１２、Ｐ１３、．．．を利用して、受信感度の信頼性をさらに向上させることができる。
【００４４】
以上、好ましい実施形態を通じて本発明に対して詳細に説明したが、本発明はこれに限られず、特許請求範囲の内で多様に実施されることができる。
【符号の説明】
【００４５】
１  ディスプレイ装置
１１  信号受信部
１２  映像処理部
１３  ディスプレイ部
１４  保存部
１５  タッチパネル部
１６  制御部
１５１  送信センサー層
１５２  受信センサー層
１５４  電圧パルスを送信するための複数のパルス送信ライン
１５４  パルス送信ライン
１５５  受信ライン
１６１  送信回路部
１６２  受信回路部
【図１】
2016528625.tif 000003
【図２】
2016528625.tif 000004
【図３】
2016528625.tif 000005
【図４】
2016528625.tif 000006
【図５】
2016528625.tif 000007
【図６】
2016528625.tif 000008
【図７】
2016528625.tif 000009
【図８】
2016528625.tif 000010
【図９】
2016528625.tif 000011
【図１０】
2016528625.tif 000012
【図１１】
2016528625.tif 000013
【図１２】
2016528625.tif 000014
【図１３】
2016528625.tif 000015
【図１４】
2016528625.tif 000016
【図１５】
2016528625.tif 000017
【国際調査報告】
2016528625.tif 000018
2016528625.tif 000019